(57)【要約】      （修正有）【課題】装置本体に電源の入力が可能であるか否かにかかわらず、容易に記録媒体を変形または破壊させ、記録データの漏洩の危険性を軽減することができ、目視によりこれらの処理の確認が可能となる記録再生装置を提供する。【解決手段】記録媒体１１が内蔵されている記録再生装置であって、記録再生装置の外装を構成するカバーの一部に穴部が設けられ、穴部に記録媒体の方向に移動して記録媒体の一部を凹ませて記録媒体を変形または破壊させる手段６を備えている構成とする。【選択図】図３
2010061730.tif 000002
【特許請求の範囲】
【請求項１】
記録媒体が内蔵されている記録再生装置であって、
前記記録再生装置の外装を構成するカバーの一部に穴部が設けられ、
前記穴部に、前記記録媒体の方向に移動して該記録媒体の一部を凹ませて該記録媒体を変形または破壊させる手段を備えていることを特徴とする記録再生装置。
【請求項２】
前記記録媒体を変形または破壊させる手段が、前記カバーの一部に設けられた穴部に配設されたネジ部材を備え、
前記ネジ部材は、回転によって前記記録媒体の方向に移動可能に構成され、
前記ネジ部材の移動によって該ネジ部材の先端部で前記記録媒体の一部を凹ませ、該記録媒体を変形または破壊させることを特徴とする請求項１に記載の記録再生装置。
【請求項３】
前記ネジ部材が前記記録媒体を変形または破壊させる位置まで回転したことを確認できる指標を備え、該指標が前記カバー上に設けられていることを特徴とする請求項２に記載の記録再生装置。
【請求項４】
前記ネジ部材の回転を規制する部材を備え、
前記回転を規制する部材は、前記カバーの一部に設けられた穴部を覆う蓋と前記ネジ部材とのそれぞれに設けられた部材の協働により回転を規制する回転規制部材によって構成され、
前記回転規制部材によって、前記穴部が蓋によって覆われている間は前記ネジ部材の回転が規制されることを特徴とする請求項２または請求項３に記載の記録再生装置。
【請求項５】
前記ネジ部材の回転を規制する部材を備え、
前記回転を規制する部材は、前記ネジ部材と前記カバーの一部に設けられた穴部における周囲の部材との間を、工具で切断、分離できる橋形状の部材で固定した回転規制部材によって構成されていることを特徴とする請求項２または請求項３に記載の記録再生装置。
【請求項６】
前記記録媒体を変形または破壊させる手段が、前記カバーの一部に設けられた穴部に配設された押し込み部材を備え、
前記押し込み部材は、押し込みによって前記記録媒体の方向に移動可能に構成され、
前記押し込み部材の移動によって前記記録媒体の一部を凹ませ、該記録媒体を変形または破壊させることを特徴とする請求項１に記載の記録再生装置。
【請求項７】
前記押し込み部材が凹んだ状態となって、前記押し込み部材が前記記録媒体を変形または破壊させる位置まで押し込まれた状態が目視で確認できる構成を備えていることを特徴とする請求項６に記載の記録再生装置。
【請求項８】
前記押し込み部材の押し込みを規制する部材を備え、
前記押し込みを規制する部材は、前記押し込み部材と前記カバーの一部に設けられた穴部における周囲の部材との間を、
工具で切断、分離できる橋形状の部材で固定した押し込み規制部材によって構成されていることを特徴とする請求項６または請求項７に記載の記録再生装置。
【請求項９】
前記記録再生装置は回転軸を介して連結された画像表示装置を備え、前記回転軸を介して前記画像表示装置を回転させることによって該画像表示装置を前記押し込み部材に接触させ、
前記押し込み部材を前記記録媒体の方向に押し込み可能に構成されていることを特徴とする請求項６から８のいずれか１項に記載の記録再生装置。
【発明の詳細な説明】
【技術分野】
【０００１】
本発明は、内蔵された記録媒体を変形または破壊させる手段を備えた記録再生装置に関する。
【背景技術】
【０００２】
近年、大容量の記録媒体を本体に内蔵して使用する装置が増えている。
このような装置は、多くの音楽データや画像データなどを一つの記録媒体に記録し、個人で楽しむ際に多くの人に利用されている。
こうしたなか、使用者がこれらの装置を廃棄する際には、従来のような挿入抜き取り可能な記録媒体とは異なり、記録媒体自体が装置に内蔵されていることから、装置本体を安易に廃棄した際に、第３者に記録媒体の内容が漏洩する危険性がある。
このような危険性を回避するために、記録データの消去や初期化という処理が行われる。
【０００３】
しかし、上記のようなデータの消去や初期化という処理は、通常は記録媒体上の記録番地などの消去を行うのみであり、記録媒体内のデータそのものは残っている可能性がある。
そのため、従来においては記録内容の漏洩の危険性をさらに軽減するために、例えば、非特許文献１に開示されているような記録媒体内のデータを完全に消去する方法が用いられる。
あるいは、特許文献１、２、３のように、物理的にハードディスクを破壊する方法、等が用いられる。
【特許文献１】特開２００４−１５８１７２号公報
【特許文献２】特開２００５−４０６６６号公報
【特許文献３】特開２００５−８５４１２号公報
【非特許文献１】ソニー（株）デジタルカメラレコーダー  ＤＣＲ−ＳＲ１００  取扱説明書  カメラ編  ５７ページ項目「ＨＤＤデータ消去」
【発明の開示】
【発明が解決しようとする課題】
【０００４】
しかしながら、上記した従来の方法においては、いずれも満足の行くものではなく、つぎのような課題を有している。
例えば、上記非特許文献１に記載の方法では、記録媒体内のデータを消去する際に、装置本体に電源の入力が可能であることが条件であり、故障などで電源を入力することができなくなった場合には、適用することができない。
また、このような方法においては、処理が正常に終了して確実に記録媒体内のデータが消去されたかを確認することが困難である。
また、特許文献１、２、３のように、物理的にハードディスクを破壊する方法を用いる場合には、専門業者に依頼することが必要となる。
【０００５】
本発明は、上記課題に鑑み、装置本体に電源の入力が可能であるか否かにかかわらず、容易に記録媒体を変形または破壊させ、記録データの漏洩の危険性を軽減することができ、目視によりこれらの処理の確認が可能となる記録再生装置の提供を目的とする。
【課題を解決するための手段】
【０００６】
本発明は、上記課題を解決するため、つぎのように構成した記録媒体を変形または破壊させる手段を備えた記録再生装置を提供するものである。
本発明の記録再生装置は、記録媒体が内蔵されている記録再生装置であって、
前記記録再生装置の外装を構成するカバーの一部に穴部が設けられ、
前記穴部に、前記記録媒体の方向に移動して該記録媒体の一部を凹ませて該記録媒体を変形または破壊させる手段を備えていることを特徴とする。
また、本発明の記録再生装置は、前記記録媒体を変形または破壊させる手段が、前記カバーの一部に設けられた穴部に配設されたネジ部材を備え、
前記ネジ部材は、回転によって前記記録媒体の方向に移動可能に構成され、
前記ネジ部材の移動によって該ネジ部材の先端部で前記記録媒体の一部を凹ませ、該記録媒体を変形または破壊させることを特徴とする。
また、本発明の記録再生装置は、前記ネジ部材が前記記録媒体を変形または破壊させる位置まで回転したことを確認できる指標を備え、該指標が前記カバー上に設けられていることを特徴とする。
また、本発明の記録再生装置は、前記ネジ部材の回転を規制する部材を備え、
前記回転を規制する部材は、前記カバーの一部に設けられた穴部を覆う蓋と前記ネジ部材とのそれぞれに設けられた部材の協働により回転を規制する回転規制部材によって構成され、
前記回転規制部材によって、前記穴部が蓋によって覆われている間は前記ネジ部材の回転が規制されることを特徴とする。
また、本発明の記録再生装置は、前記ネジ部材の回転を規制する部材を備え、
前記回転を規制する部材は、前記ネジ部材と前記カバーの一部に設けられた穴部における周囲の部材との間を、工具で切断、分離できる橋形状の部材で固定した回転規制部材によって構成されていることを特徴とする。
また、本発明の記録再生装置は、前記記録媒体を変形または破壊させる手段が、前記カバーの一部に設けられた穴部に配設された押し込み部材を備え、
前記押し込み部材は、押し込みによって前記記録媒体の方向に移動可能に構成され、
前記押し込み部材の移動によって前記記録媒体の一部を凹ませ、該記録媒体を変形または破壊させることを特徴とする。
また、本発明の記録再生装置は、前記押し込み部材が凹んだ状態となって、前記押し込み部材が前記記録媒体を変形または破壊させる位置まで押し込まれた状態が目視で確認できる構成を備えていることを特徴とする。
また、本発明の記録再生装置は、前記押し込み部材の押し込みを規制する部材を備え、
前記押し込みを規制する部材は、前記押し込み部材と前記カバーの一部に設けられた穴部における周囲の部材との間を、
工具で切断、分離できる橋形状の部材で固定した押し込み規制部材によって構成されていることを特徴とする。
また、本発明の記録再生装置は、回転軸を介して連結された画像表示装置を備え、前記回転軸を介して前記画像表示装置を回転させることによって該画像表示装置を前記押し込み部材に接触させ、
前記押し込み部材を前記記録媒体の方向に押し込み可能に構成されていることを特徴とする。
【発明の効果】
【０００７】
本発明によれば、装置本体に電源の入力が可能であるか否かにかかわらず、容易に記録媒体を変形または破壊させ、記録データの漏洩の危険性を軽減することができ、目視によりこれらの処理の確認が可能となる。
また、専門業者に依頼することなく、容易に記録媒体の部品の一部を変形および破壊させ、記録媒体の正常動作を阻害することで、記録データの漏洩の危険性を軽減することが可能となり、利便性を向上させることができる。
【発明を実施するための最良の形態】
【０００８】
本発明を実施するための最良の形態を、以下の実施例により説明する。
【実施例】
【０００９】
以下に、本発明の実施例について説明する。
［実施例１］
実施例１として、本発明を適用して記録媒体を変形または破壊させる手段としてネジ部材を備えた記録再生装置の構成例について説明する。
図１に、本実施例の記録媒体を変形または破壊させる手段としてネジ部材を備えた記録再生装置の構成例を説明する斜視図を示す。
図１において、１は記録再生装置、２は甲当てベルト、３は使用者の手、４は凹部、５は蓋、６はネジ部材、７は外装カバーである。
【００１０】
本実施例の記録再生装置１は、装置本体を把持するときに使用者の手３の甲にベルト部分が当たるように構成されている。
また、外装カバー７によって記録再生装置１の本体の外観を構成する１面が覆われ、この外装カバー７に凹部４が設けられている。
また、この凹部４は通常は蓋５で覆われている。蓋５を取り除くと凹部４にはネジ部材６が配置されている。
【００１１】
図２に、外装カバー７の凹部４に形成された穴部に配置されたネジ部材６を通る図１におけるＡ−Ａ断面図を示す。
図２において、８は受け部材、１０は保護カバー、１１は記録媒体である。
図２に示されるように、ネジ部材６には雄ネジ山６ｃが形成されており、ネジの勘合相手部品８には雌ネジ山８ｃが形成されている。
さらに、記録再生装置１の本体内には、保護カバー１０によって保護されたデータを記録するための記録媒体１１が内蔵されている。
また、ネジ部材６に一体成形されたねじの先端部６ａが、記録媒体１１に近接したところに配設されている。
また、６ｂはネジ部材６に形成された円弧状の凹部であり、コインなどをこの凹部６ｂに差し込んでネジ部材６を回転させ、記録媒体１１の方向に移動させる際に使用する。
【００１２】
つぎに、本実施例において、記録媒体を変形または破壊させる手順について説明する。
図３は、外装カバー７の凹部４に形成された穴部に配置されたネジ部材６を通る図１におけるＡ−Ａ断面を示す図であり、ネジ部材６を回転させて記録媒体１１の一部を凹ませた状態を示す図である。
また、図４はネジ部材６の回転状態について説明する図であり、図４（ａ）はネジ部材６を回転させていない状態を示す図であり、図４（ｂ）はネジ部材６を回転させ矢印Ｂの方向に進めた状態を示す図である。
【００１３】
本実施例において、使用者が記録媒体１１の一部を変形および破壊させようとするとき、まず、蓋５を取り除き、外装カバー７の凹部に形成された穴部に配置されたネジ部材６の凹部６ｂに、コインなどを差し込んでネジ部材６を回転させる。
すると、ネジ部材６は記録媒体１１の方向である図３の矢印Ｂの方向に進み、ネジ先端部６ａが保護カバー１０を貫通して記録媒体１１の一部を凹ませ、これにより記録媒体を変形または破壊させることができる。
その際、ネジ部材６の周囲における状態を確認すると、ネジ部材６を回転させていないときには図４ａのようにネジ部材６の頭の部分と凹部４が同一平面状にある。
これに対して、回転させたあとでは図４ｂのように、ネジ部材６が凹部４の面から記録媒体１１の方向である矢印Ｂ方向に進むことにより、凹んだ状態となる。
【００１４】
以上のように、本実施例によれば、装置本体の電源が入る、入らないにかかわらず、前記ネジ部材は、回転によって前記記録媒体の方向に移動可能に構成されている。
これにより、使用者が装置本体に設定されたネジ部材を回転させることで、容易に記録媒体の部品の一部を変形および破壊させることができる。
したがって、これにより記録媒体の正常動作を阻害し、記録データの漏洩の危険性を軽減することが可能となり、利便性を向上させることができる。
また、ネジ部材が通常位置より凹んだ状態となっていることを目視で確認できるので記録媒体に変形を加える行為が行われたかどうかが一目でわかり、廃棄する際の目安となって、利便性を向上させることができる。
また、これら一連の行動を使用者自ら実施できるので、専門業者に依頼する必要がなく、わずらわしさを軽減することができる。
さらにまた、これらの行動は短時間で行うことができ、利便性を向上させることができる。
【００１５】
［実施例２］
実施例２として、蓋がしてある間は記録媒体を変形または破壊させるネジ部材が回転しないように規制をかけるようにした記録再生装置の構成例について説明する。
図５に、本実施例の記録再生装置の構成例を説明する斜視図を示す。
図５において、１００は記録再生装置、１０２は甲当てベルト、１０４は凹部、１０５は蓋、１０６はネジ部材、１０７は外装カバーである。
【００１６】
本実施例の記録再生装置１００は、甲当てベルト１０２、記録再生装置１００の本体の外観を構成する１面を覆う外装カバー１０７を備え、この外装カバー１０７に凹部１０４が設けられている。
また、この凹部１０４は通常は蓋１０５で覆われている。蓋１０５を取り除くと、凹部１０４に形成された穴部にはネジ部材１０６が配置されている。
また、ネジ部材１０６には穴形状部１０６ｄが、また蓋１０５にはボス形状部１０５ｄが形成されていて、この両者は蓋１０５が凹部１０４を覆っているときには穴形状部１０６ｄにボス形状部１０５ｄが嵌合するように構成されている。
【００１７】
図６に、蓋１０５が凹部１０４を覆っているとき、穴形状部１０６ｄにボス形状部１０５ｄが嵌合する状態を説明するための、図５におけるＡＡ−ＡＡ断面図を示す。
図６に示すように構成することで、蓋１０５が凹部１０４を覆っているときには、穴形状部１０６ｄにボス形状部１０５ｄが嵌合して、ネジ部材１０６が回転しないように規制することができる。
【００１８】
つぎに、本実施例において、記録媒体を変形または破壊させる手順について説明する。
本実施例において、使用者が記録媒体１１１の一部を凹ませるなどの変形を加えようとするとき、まず、蓋１０５を取り除き、ネジ部材１０６をボス形状部１０５ｄと穴形状部１０６ｄとによる嵌合状態から開放されるようにする。
続いて、コインなどを凹部１０６ｂに差し込んで、ネジ部材１０６を回転させる。
すると、実施例１で説明したようにネジ部材１０６のネジ先端部１０６ａが保護カバー１１０を貫通して記録媒体１１１の一部を凹ませ、これにより記録媒体１１１を変形または破壊させるることができる。
【００１９】
以上のように、本実施例によれば、凹部を覆う蓋とネジ部材とのそれぞれに設けられた部材の協働により回転を規制する回転規制部材によって構成されているから、蓋がしてある間はネジ部材が回転しないように規制をかけることができる。
したがって、不用意にネジ部材が回転して記録媒体に傷をつけなくてすむので、使用者の利便性を向上させることができる。
【００２０】
［実施例３］
実施例３として、記録媒体の部品の一部を変形および破壊させる行為が行われたかどうかを、一目で確認することができるようにした記録再生装置の構成例について説明する。
図７に、本実施例の記録再生装置の構成例を説明する斜視図を示す。
図７において、２００は記録再生装置、２０２は甲当てベルト、２０６はネジ部材、２０７は外装カバーである。
【００２１】
本実施例の記録再生装置２００は、甲当てベルト２０２、記録再生装置２００の本体の外観を構成する１面を覆う外装カバー２０７を備え、このカバー２０７と略同一面上にネジ部材２０６が配置されている。
このネジ部材２０６には、ネジ部材２０６を回転させる時に使用する円弧状の凹部２０６ｂが形成されている。
コインなどをこの凹部２０６ｂに差し込んでネジ部材２０６を回転させることにより、ネジ部材２０６を不図示の記録再生装置本体に内蔵された記録媒体の方向に進ませるように構成されている。
これによってネジ部材２０６を回転させ、ネジ部材２０６を記録媒体の方向に進ませることにより、記録媒体の一部を凹ませて記録媒体を変形または破壊させることができるようにされている。
【００２２】
その際、本実施例においては、ネジ部材２０６の円周付近のカバー上２０７に、指標２２０が刻印されている。
この指標２２０は、例えば図８のように、ネジ部材２０６を、凹部２０６ｂの一端がこの指標２２０の位置まで回転させると、記録媒体の一部を凹ませて記録媒体を変形または破壊させることができる位置に刻印されている。
したがって、この指標２２０が刻印されている位置までネジ部材２０６を回転させることで、記録媒体の部品の一部を変形および破壊させる行為が行われたかどうかを、一目で確認することができる。
これにより、記録再生装置を廃棄する際の目安となり、利便性を向上させることができる。
【００２３】
［実施例４］
実施例４として、記録媒体を変形または破壊させるネジ部材が回転しないように、ネジ部材とその周囲の部材とを固定する橋形状の部材を設けるようにした記録再生装置の構成例について説明する。
図９に、本実施例の記録再生装置の構成例を説明する斜視図を示す。
図９において、３００は記録再生装置、３０２は甲当てベルト、３０４は凹部、３０５は蓋、３０６はネジ部材、３０７は外装カバーである。
【００２４】
本実施例の記録再生装置３００は、甲当てベルト３０２、記録再生装置３００の本体の外観を構成する１面を覆う外装カバー３０７を備え、この外装カバー３０７に凹部３０４が設けられている。
また、この凹部３０４は通常は蓋３０５で覆われている。蓋３０５を取り除くと、凹部３０４に形成された穴部にはネジ部材３０６が配置されている。
このネジ部材３０６には、ネジ部材３０６を回転させる時に使用する円弧状の凹部３０６ｂが形成されており、コインなどをこの凹部３０６ｂに差し込んでネジ部材３０６を回転させることにより、ネジ部材３０６を記録媒体の方向に進ませるように構成されている。
これによってネジ部材３０６を回転させ、ネジ部材３０６を不図示の記録再生装置本体に内蔵された記録媒体の方向に進ませることにより、記録媒体の一部を凹ませて記録媒体を変形または破壊させるることができるようにされている。
【００２５】
つぎに、上記ネジ部材とその周囲の部材とを固定する橋形状を設けるようにした構成の詳細について説明する。
図１０に、ネジ部材とその周囲の部材とを固定する橋形状を設けるようにした構成例について説明する図を示す。
図１０において、３２０は橋形状の部材である。
上記外装カバー３０７の凹部３０４に形成された穴部に配置されているネジ部材３０６の周りには、このネジ部材３０６を固定するために凹部３０４の面と接続する複数本の橋形状の部材３２０が設けられている。
この橋形状の部材３２０によってネジ部材３０６が固定されていてネジ部材３０６が回転しないようになっている。
逆に、この橋形状の部材３２０をニッパーなどの工具を用いて切断、分離することでネジ部材３０６は回転可能となる。
【００２６】
以上のように、ネジ部材が回転しないように、ネジ部材とその周囲の部材とを固定する橋形状を設定することで、不用意にネジ部材が回転して記録媒体に傷を付ける事が無く、使用者の利便性を向上させることができる。
また、記録再生装置本体を廃棄するときには、これらの橋形状の部材をニッパーなどの工具を用いて切断しネジ部材を回転させるので、記録媒体の部品の一部を変形および破壊させる行為が行われたかどうかが一目で確認することが可能となる。
これにより、記録再生装置を廃棄する際の目安となり、さらに利便性を向上させることができる。
【００２７】
［実施例５］
実施例５として、押し込み部材を押し込み可能に構成して記録媒体を変形または破壊させるようにした記録再生装置の構成例について説明する。
図１１に、本実施例の記録媒体を変形または破壊させる手段として押し込み部材を備えた記録再生装置の構成例を説明する斜視図を示す。
図１１（ａ）は画像表示装置をヒンジの第１の回転軸を中心に矢印Ｄ方向に回転させた状態を示す図。
図１１（ｂ）は画像表示装置をヒンジの第２の回転軸を中心として矢印Ｅ方向に回転させた状態を示す図。
図１１（ｃ）は画像表示装置をヒンジの第１の回転軸を中心に矢印Ｆ方向に回転させた状態を示す図。
【００２８】
図１１において、は５００は記録再生装置、５０１は画像表示装置、５０２は画像表示部、５０３はヒンジ部、５０４はヒンジの第１の回転軸、５０５はヒンジの第２の回転軸、５０６は押し込み部材、５０７は外装カバーである。
本実施例は、画像表示装置５０１と記録再生装置５００の本体を連結するヒンジ部５０３を備え、このこのヒンジ部５０３はヒンジの第１の回転軸５０４とヒンジの第２の回転軸５０５とにより、２軸方向の回転が可能に構成されている。
また、外装カバー５０７によって記録再生装置５００の本体の外観を構成する１面が覆われ、この外装カバー５０７の一部面上には穴部が形成され、この穴部に押し込み部材５０６が配置されるように構成されている。
【００２９】
つぎに、上記押し込み部材５０６とその周囲の部材とを固定する橋形状を設けるようにした構成の詳細について説明する。
図１３に、上記穴部に配置された押し込み部材と、その周囲の部材とを固定する橋形状の部材を設けるようにした構成例について説明する図を示す。
図１３において、５０８はヒンジ部、５２０は橋形状の部材である。
上記穴部に配置された押し込み部材５０６の周りには、押し込み部材５０６を固定するための複数本の橋形状の部材５２０が外装カバー５０７の面と一体的に構成されている。
この橋形状の部材５２０によって押し込み部材５０６が外装カバー５０７の面と固定されていることで、押し込み部材５０６は押し込まれないようになっている。
逆に、この橋形状の部材５２０をニッパーなどの工具を用いて切断、分離することで押し込み部材５０６は押し込み可能となる。
このとき、押し込み部材５０６の位置を固定し、かつ、押し込み部材５０６を回転運動させるためのヒンジ部５０８が、橋形状の部材５２０とは別に押し込み部材５０６とが外装カバー５０７の面との間に設けられている。
【００３０】
つぎに、本実施例における記録再生装置本体５００を廃棄する際の手順について説明する。
まず、使用者は図１３より橋形状の部材５２０をニッパーなどの工具を用いて切断し、押し込み部材５０６とが外装カバー５０７の面をヒンジ部５０８を残して分離する。
次に、図１１（ａ）に示されるように、画像表示装置５０１をヒンジの第１の回転軸５０４を中心に矢印Ｄ方向に回転させる。
さらに、図１１（ｂ）に示されるように、画像表示装置５０１をヒンジの第２の回転軸５０５を中心として矢印Ｅ方向に回転させる。
続いて、図１１（ｃ）に示されるように、画像表示装置５０１をヒンジの第１の回転軸５０４を中心に矢印Ｆ方向に回転させる。
このとき、画像表示装置５０１の角部５０１ａが押し込み部材５０６と接触するようになる。
【００３１】
図１２に、上記画像表示装置５０１の角部５０１ａが押し込み部材５０６と接触するようになる状態を説明するための、押し込み部材５０６の中心付近で記録再生装置本体５００を水平に切断した図１３におけるＢＢ−ＢＢ断面図を示す。図１２において、５１１は実際にデータを記録するための記録媒体であり、５１０は記録媒体を保護するための保護カバーである。
また、５０６ａは押し込み部材５０６に一体成形された凸形状の先端部であり、記録媒体５１１に近接したところに配置されている。
【００３２】
本実施例において、画像表示装置５０１は矢印Ｆ方向に押され回転軸５０４を中心に回転運動を行い角部５０１ａが押し込み部材５０６と接触したあと、さらに回転方向に力をかけられることで押し込み部材５０６をさらに押し込む。
このとき、押し込み部材５０６はヒンジ部５０８を中心に回転運動を行い矢印Ｃ方向に回転し、凸形状５０６ａはさらに押し込まれる。
こうすることで、凸形状５０６ａが記録媒体５１１の一部を凹ませるなどの変形を加えることになる。
ここで、画像表示装置５０１を矢印Ｆ方向に回転させるために力を加える部分を角部５０１ｆとして、回転軸５０４から角部５０１ｆまでの距離をＸ、回転軸５０４から角部５０１ａまでの距離をＹとしたとき、
Ｘ＞Ｙ
という関係を構築できれば、その差が大きければ大きいほど、角部５０１ｆにかける力の大きさを、実際に凸形状５０６ａが記録媒体５１１を変形させるときにかかる力より小さくすることができる。
これは、角部５０１ｆにかける力をＦ、角部５０１ａに掛かる力をＧとすると、てこの原理より、
Ｘ×Ｆ＝Ｙ×Ｇ
という関係式が成り立つ。
そして、ＸをＹに比べて大きくするほど、凸形状５０６ａに記録媒体５１１を変形させるのに必要な力を与えるための力Ｆを小さく出来ることによる。
【００３３】
以上のように、装置本体の電源が入る、入らないにかかわらず、使用者が装置本体に設定された押し込み部材を押し込むことで、容易に記録媒体の部品の一部を変形および破壊させることが可能となる。
これにより、記録媒体の正常動作を阻害し、記録データの漏洩の危険性を軽減することができ、利便性を向上させることが可能となる。
特に、画像表示装置の回転機構を利用して、前記押し込み部材を前記記録媒体の方向に押し込み可能に構成することで、小さな力で押し込み部材を押し込むことが可能となる。
また、通常状態では押し込み部材が押し込まれないように押し込み部材とその周囲の部材とを一体部品として構成し得るように接続した橋形状を設定する。これにより、不用意に押し込み部材が押し込まれて記録媒体に傷をつけなくてすみ、使用者の利便性を向上させることができる。
さらに、押し込み部材が通常位置より凹んだ状態となっている事を目視で確認できることから、記録媒体に変形を加える行為が行われたかどうかが一目でわかり、廃棄する際の目安となって、利便性を向上させることが可能となる。
また、これら一連の行動を使用者自ら実施できるので、わずらわしさを軽減することができる。
さらにまた、これらの行動は短時間で行うことができ、利便性を向上させることができる。
【図面の簡単な説明】
【００３４】
【図１】本発明の実施例１における記録媒体を変形または破壊させる手段としてネジ部材を備えた記録再生装置の構成例を説明する斜視図。
【図２】本発明の実施例１における外装カバーの凹部に配置されたネジ部材を通る図１におけるＡ−Ａ断面を示す図。
【図３】本発明の実施例１における外装カバーの凹部に配置されたネジ部材を通る図１におけるＡ−Ａ断面を示す図であり、ネジ部材を回転させて記録媒体の一部を凹ませた状態を示す図。
【図４】本発明の実施例１におけるネジ部材の回転状態について説明する図であり、図４（ａ）はネジ部材を回転させていない状態を示す図であり、図４（ｂ）はネジ部材を回転させ矢印Ｂの方向に進めた状態を示す図である。
【図５】本発明の実施例２における記録再生装置の構成例を説明する斜視図。
【図６】本発明の実施例２における蓋が凹部を覆っているとき、穴形状にボス形状が嵌合する状態を説明するための、図５におけるＡＡ−ＡＡ断面を示す図。
【図７】本発明の実施例３における記録再生装置の構成例を説明する斜視図。
【図８】本発明の実施例３における記録再生装置の部分説明図。
【図９】本発明の実施例４における記録再生装置の構成例を説明する斜視図。
【図１０】本発明の実施例４におけるネジ部材とその周囲の部材とを固定する橋形状を設けるようにした構成例について説明する図。
【図１１】本発明の実施例５における記録媒体を変形または破壊させる手段として押し込み部材を備えた記録再生装置の構成例を説明する斜視図。
【図１２】本発明の実施例５における画像表示装置の角部が押し込み部材と接触するようになる状態を説明するための、押し込み部材の中心付近で記録再生装置本体を水平に切断した図１３におけるＢＢ−ＢＢ断面を示す図。
【図１３】本発明の実施例５における押し込み部材とその周囲の部材とを固定する橋形状の部材を設けるようにした構成例について説明する図。
【符号の説明】
【００３５】
１、１００、２００、３００、５００：記録再生装置
２、１０２、２０２、３０２：甲当てベルト
３：使用者の手
４、１０４、３０４：凹部
５、１０５、３０５：蓋
６、１０６、２０６、３０６：ネジ部材
７、１０７、２０７、３０７、５０７：外装カバー
８：受け部材
１０、１１０、５１０：保護カバー
１１、１１１、５１１：記録媒体
２２０：指標
３２０、５２０：橋形状の部材
５０１：画像表示装置
５０２：画像表示部
５０３、５０８：ヒンジ部
５０４、５０５：回転軸
５０６：押し込み部材
【図１】
2010061730.tif 000003
【図２】
2010061730.tif 000004
【図３】
2010061730.tif 000005
【図４】
2010061730.tif 000006
【図５】
2010061730.tif 000007
【図６】
2010061730.tif 000008
【図７】
2010061730.tif 000009
【図８】
2010061730.tif 000010
【図９】
2010061730.tif 000011
【図１０】
2010061730.tif 000012
【図１１】
2010061730.tif 000013
【図１２】
2010061730.tif 000014
【図１３】
2010061730.tif 000015